(57)【要約】【課題】  簡単な構成で、小型化・省スペース化と処理効率の向上とを図ることができるエアフィルタユニットの洗浄装置を提供する。【解決手段】  収納部２０は、複数のエアフィルタユニット２を、エアフィルタユニット２の使用時に空気の流れと大略垂直に配置されるろ材の主要面を立てた状態で、水平方向に順に並べて収納する。複数の処理部３０，４０，５０は、収納部２０においてエアフィルタユニット２を順に並べる方向の一端側に、エアフィルタユニット２に対して処理を行う順に一列に配置される。搬送部７０は、収納部２０及び処理部３０，４０，５０に沿って配置され、エアフィルタユニット２を解除可能に把持し、収納部２０及び処理部３０，４０，５０に沿って水平方向と上下方向とに移動する。【選択図】図１
2005161260.tif 000002
【特許請求の範囲】
【請求項１】
複数のエアフィルタユニットを、上記エアフィルタユニットの使用時に空気の流れと大略垂直に配置されるろ材の主要面を立てた状態で、水平方向に順に並べて収納する収納部と、
上記収納部において上記エアフィルタユニットを順に並べる方向の一端側に、上記エアフィルタユニットに対して処理を行う順に一列に配置された、複数の処理部と、
上記収納部及び上記処理部に沿って配置され、上記エアフィルタユニットを解除可能に把持し、上記収納部及び上記処理部に沿って水平方向と上下方向とに上記エアフィルタユニットを搬送する搬送部とを備えたことを特徴とする、エアフィルタユニットの洗浄装置。
【請求項２】
上記収納部は、上記エアフィルユニットの上記ろ材の上記主要面の法線方向に、上記エアフィルタを順に並べて収納することを特徴とする、請求項１に記載の洗浄装置
【請求項３】
上記搬送部が上記エアフィルタユニットを把持して水平方向に搬送する方向は、上記エアフィルユニットの上記ろ材の上記主要面の法線方向であることを特徴とする、請求項１又は２に記載の洗浄装置
【請求項４】
上記処理部は、洗浄液が入る洗浄槽本体内に振動素子が配置され、上記洗浄液に上記エアフィルタユニットを浸した状態で、上記振動素子で発生させた超音波を当てることにより、上記エアフィルタユニットを洗浄する超音波洗浄槽を含むことを特徴とする、請求項１、２又は３に記載のエアフィルタユニットの洗浄装置。
【請求項５】
上記処理部は、すすぎ液を噴射するノズルがすすぎ槽本体内に配置されたすすぎ槽を含むことを特徴とする、請求項１ないし４のいずれか一つに記載のエアフィルタユニットの洗浄装置。
【請求項６】
上記処理部は、上記エアフィルタユニットが倒れる斜面を有する水切台を含むことを特徴とする、請求項１ないし５のいずれか一つに記載のエアフィルタユニットの洗浄装置。
【発明の詳細な説明】
【技術分野】
【０００１】
本発明はエアフィルタユニットの洗浄装置に関する。
【背景技術】
【０００２】
従来、ビルディング、工場、事務所などの空気調和設備においては、取り入れ外気や循環空気中の粉じんをろ材で除去するエアフィルタユニットが用いられている。このようなエアフィルタユニットを繰り返し使用するため、エアフィルタユニットを洗浄する洗浄装置が提案されている。
【０００３】
例えば図５に模式的に示したエアフィルタユニットの洗浄装置８０は、洗浄する複数のエアフィルタユニットを置くためのエアフィルタユニット置台８１ａ，８１ｂ，８１ｃが中央に配置され、エアフィルタユニット置台８１ａ，８１ｂ，８１ｃを挟んで片側には、下地処理槽８２、噴射すすぎ槽８３、第２すすぎ槽８４、殺菌槽８５からなる第１組の処理槽８１が配置され、反対側には、洗浄槽８６と第１すすぎ槽８７とからなる第２組の処理槽８８が配置されている。
【０００４】
第１組の処理槽８１と第２の処理槽８８との間の上方空間には、例えば１対の案内機構９０ａ，９０ｂが配置され、２次元的に移動する２台の搬送装置９１，９２を設けられる。すなわち、搬送装置９１，９２は、それぞれ、移動ビーム９１ａ，９２ａが矢印９１ｘ，９２ｘで示すように案内機構９０ａ，９０ｂに沿って移動し、搬送装置本体９１ｂ，９２ｂが矢印９１ｙ，９２ｙで示すように移動ビーム９１ａ，９２ａに沿って移動するようになっている。搬送装置本体９１ｂ，９２ｂは、エアフィルタユニットを解除可能に把持し、吊り上げ、吊下ろしを行う。
【０００５】
この洗浄装置８０では、例えばエアフィルタユニット置台８１ｂに載置された汚れの多いエアフィルタユニット８１ｐは、矢印９４ａで示すように下地処理槽８２に搬送して下地処理を施し、矢印９４ｂで示すように噴射すすぎ槽８３に搬送し、浮き上がった汚れを洗い流し、矢印９４ｃで示すようにエアフィルタユニット置台８１ｂの元の位置に戻す。
【０００６】
次に、矢印９５ａで示すように超音波洗浄槽８６に搬送し、洗浄液に浸しながら超音波を当てて洗浄し、矢印９５ｂで示すように第１すすぎ槽８７に搬送してすすぎ、矢印９５ｃで示すようにエアフィルタユニット置台８１ｂの元の位置に戻す。
【０００７】
次に、矢印９６ａで示すように第２すすぎ槽８４に搬送してすすぎ、矢印９６ｂで示すように噴射すすぎ槽８３に搬送して、すすぎ液を洗い流し、９６ｃで示すように殺菌槽８５に搬送して殺菌処理を施し、矢印９６ｄで示すようにエアフィルタユニット置台８１ｂの元の位置に戻す（例えば、特許文献１参照）。
【特許文献１】特許第３０３２９１０７号公報
【発明の開示】
【発明が解決しようとする課題】
【０００８】
しかし、この洗浄装置８０は、複雑で大きな構成となり、広い場所に設置する必要がある。据付には、現場での面倒な組立・調整作業が必要であり、簡単には移動することができない。また、エアフィルタユニットの行き来の無駄が多く、洗浄やすすぎを連続して行うことができないので、装置全体の効率がよくない。
【０００９】
本発明は、上記のような問題を解決しようとするものであり、簡単な構成で、小型化・省スペース化と処理効率の向上とを図ることができる、エアフィルタユニットの洗浄装置を提供することを目的とするものである。
【課題を解決するための手段】
【００１０】
本発明は、上記課題を解決するため、以下のような構成のエアフィルタユニットの洗浄装置を提供する。
【００１１】
エアフィルタユニットの洗浄装置は、収納部と、複数の処理部と、搬送部とを備える。上記収納部は、複数のエアフィルタユニットを、上記エアフィルタユニットの使用時に空気の流れと大略垂直に配置されるろ材の主要面を立てた状態で、水平方向に順に並べて収納する。複数の上記処理部は、上記収納部において上記エアフィルタユニットを順に並べる方向の一端側に、上記エアフィルタユニットに対して処理を行う順に一列に配置される。上記搬送部は、上記収納部及び上記処理部に沿って配置され、上記エアフィルタユニットを解除可能に把持し、上記収納部及び上記処理部に沿って水平方向と上下方向とに上記エアフィルタユニットを搬送する。
【００１２】
上記構成において、エアフィルタユニットは、収納部において、立てた状態、すなわち、ろ材の主要面が水平面に対して略垂直となる状態で待機する。把持部が、収納部のエアフィルタユニットを把持し、把持したまま、収納部及び処理部に沿って搬送することにより、エアフィルタは、順次、連続的に処理される。
【００１３】
上記構成によれば、収納部と処理部とは、エアフィルタユニットの処理を行う順に一列に並べられるので、エアフィルタユニットの水平方向搬送距離をできるだけ短くすることができる。これにより、洗浄装置は、エアフィルタの水平方向かつ搬送方向の寸法を小さくするとともに、エアフィルタの搬送時間を短縮することができる。
【００１４】
好ましくは、上記収納部は、上記エアフィルユニットの上記ろ材の上記主要面の法線方向に、上記エアフィルタを順に並べて収納する。
【００１５】
通常、エアフィルタユニットは、ろ材の主要面方向の寸法よりも、ろ材の主要面の法線方向の寸法の方が小さいので、上記構成によれば、収納部において、エアフィルタを収納する方向（すなわち、ろ材の主要面方向）の寸法をできるだけ小さくすることができる。これにより、洗浄装置の一層の小型化・省スペース化と、搬送時間の短縮による処理効率の一層の向上とを図ることができる。
【００１６】
好ましくは、上記搬送部が上記エアフィルタユニットを把持して水平方向に搬送する方向は、上記エアフィルユニットの上記ろ材の上記主要面の法線方向である。
【００１７】
通常、エアフィルタユニットは、ろ材の主要面方向の寸法よりも、ろ材の主要面の法線方向の寸法の方が小さいので、上記構成によれば、収納部と処理部との間の水平搬送方向距離や処理部間の水平搬送方向距離をできるだけ小さくすることができる。これにより、洗浄装置の一層の小型化・省スペース化と、搬送時間の短縮による処理効率の一層の向上とを図ることができる。
【００１８】
好ましくは、上記処理部は、洗浄液が入る洗浄槽本体内に振動素子が配置され、上記洗浄液に上記エアフィルタユニットを浸した状態で、上記振動素子で発生させた超音波を当てることにより、上記エアフィルタユニットを洗浄する超音波洗浄槽を含む。
【００１９】
上記構成によれば、超音波洗浄槽内の所定位置にエアフィルタユニットを降下し、洗浄液に浸しながら超音波を当てるだけで、エアフィルタユニットを洗浄できる。エアフィルタユニットは、洗浄するために上下方向に移動するだけでよく、洗浄中に倒したり回転したりするなど、大きく移動しなくても、十分に洗浄することができる。エアフィルタユニットの移動範囲を狭くすることができるので、洗浄装置を小型化することができる。
【００２０】
好ましくは、上記処理部は、すすぎ液を噴射するノズルがすすぎ槽本体内に配置されたすすぎ槽を含む。
【００２１】
上記構成によれば、すすぎ槽内の所定位置にエアフィルタユニットを降下し、すすぎ液の噴射に当てるだけで、エアフィルタユニットに付着した洗浄液等をすすぎ液で取り除くことができる。エアフィルタユニットは、上下方向に移動するだけでよく、倒したり回転したりしなくても、すすぐことができる。エアフィルタユニットの移動範囲を狭くすることができるので、洗浄装置を小型化することができる。
【００２２】
好ましくは、上記処理部は、上記エアフィルタユニットが倒れる斜面を有する水切台を含む。
【００２３】
上記構成によれば、エアフィルタユニットが水切台の斜面で倒れるときに、その衝撃で、エアフィルタユニットに付着したすすぎ液等の大半が飛び散る。簡単な構成で、エアフィルタユニットからすすき液等の大半を短時間で除去でき、乾燥を含む工程全体の効率を高めることができる。
【発明の効果】
【００２４】
本発明のエアフィルタユニットの洗浄装置は、簡単な構成で、小型化・省スペース化と処理効率の向上とを図ることができる。
【発明を実施するための最良の形態】
【００２５】
以下、本発明の実施の形態として実施例を、図１〜図４を参照して説明する。
【００２６】
図１の平面図及び図２の正面図に示すように、洗浄装置１０は、共通台版１２の上に、エアフィルタユニット置台２０、超音波洗浄槽３０、すすぎ槽４０、水切台５０、エアフィルタユニット回収台６０が順に一列に配置され、これと平行に搬送装置７０が配置されている。
【００２７】
エアフィルタユニット置台２０は、図１に示すように、対向する一対の側板２２，２３が平行に配置され、その間に、所定枚数（例えば３０枚）のエアフィルタユニット２を、立てた状態で所定の間隔を設けて平行に収納するようになっている。側板２２，２３には、互いに対向する面に、対になった突起２２ａ，２３ａが設けられ、エアフィルタユニット２の側縁近傍を、これらの突起２２ａ，２３ａの間に挿入し係合することにより、エアフィルタユニット２を立った状態で保持するようになっている。すなわち、エアフィルタユニット２は、エアフィルタユニット２の使用時に空気の流れと大略垂直に配置されるろ材の主要面が垂直となる。
【００２８】
超音波洗浄槽３０は、洗浄液３６が入る洗浄槽本体３２内に、超音波を発生する振動素子３４が固定されている。エアフィルタユニット２は、搬送装置７０により、洗浄槽本体３２の上部に設けた開口３３から、洗浄槽本体３２内に上下方向に出し入れされる。エアフィルタユニット２は、洗浄液３６に浸した状態で、振動素子３４で発生させた超音波をろ材に当てることにより、エアフィルタユニット２のろ材に付着している粉じんを剥離させる。
【００２９】
すすぎ槽４０は、槽本体４２の上部に開口部４３を有し、槽本体４２内に配置された互いに対向する２列の噴射ノズルから、すすぎ液４４を噴射する。
【００３０】
水切台５０は、傾斜面５２を有し、洗浄及びすすぎが終了したエアフィルタユニット２が倒れるときの衝撃で、エアフィルタユニット２に付着したすすぎ液４４が飛び散って除去され、回収台６０に向けて滑り落ちるようになっている。
【００３１】
回収台６０の上面６２には、洗浄・すすぎ・水切りの全工程が終了したエアフィルタユニット２が載置される。回収台６０は、洗浄装置１０の端から突出するようになっていて、エアフィルタユニット２を洗浄装置１０から容易に取り出すことができるようになっている。
【００３２】
搬送装置７０は、エアフィルタユニット置台２０、超音波洗浄槽３０、すすぎ槽４０及び水切台５０に沿って平行に案内部７２が配置され、この案内部７２に沿って第１移動部７４が水平方向に移動するようになっている。さらに、第２移動部７６が第１移動部７４に沿って上下方向に移動するようになっている。第２移動部７４は、エアフィルタユニット置台２０、超音波洗浄槽３０、すすぎ槽４０及び水切台５０の上方に延在し、その先端には、エアフィルタユニット２を解除自在に把持するエアフィルタユニット把持部７８が設けられている。第１移動部７４、第２移動部７６及び把持部７８は、モーターやギアなどの駆動機構を含む駆動部７５，７７，７９によって、それぞれ駆動される。エアフィルタユニット把持部７８は、図４に模式的に示したように、一対のアーム７８ａ，７８ｂの鉤状の先端が、エアフィルタユニット２のろ材２ａの周囲に設けられた枠部材２ｂの上部に係合することにより、エアフィルタユニット２を把持する。アーム７８ａ，７８ｂが矢印７８ｘで示すように開くと、エアフィルタユニット２の把持は解除されるようになっている。エアフィルタユニット２は、立ったままの状態で搬送される。
【００３３】
第１移動部７４及び第２移動部７６の位置は、サーボ機構により制御する。ただし、第１移動部７４は、移動距離が長いため、制御誤差が累積しやすい。そこで、第１移動部７４の基準位置（例えば、水切台５０に対向する位置）を不図示の位置センサにより検出し、基準位置に戻ることを確認しながら制御するようになっている。制御したにもかかわらず基準位置に戻らない場合には警報を発し、オペレータに対して点検を促すようになっている。
【００３４】
次に、洗浄装置１０の動作について説明する。
【００３５】
洗浄装置１０で洗浄するエアフィルタユニット２は、エアフィルタユニット置台２０の突起２２ａ，２３ａの間に順に差し込み、ろ材の主要面が略垂直になるように立てた状態で収納する。このとき、ろ材の主要面は、互いに平行になり、搬送方向、すなわち超音波洗浄装置３０、すすぎ槽４０などの方向に向く。搬送装置７０は、第１番目のエアフィルタユニット２ｓから最後のエアフィルタユニット２ｅまで、順に１枚ずつ把持し、図２において矢印８１で示すように、エアフィルタユニット置台２０から上方に引き上げる。そして、矢印８２で示すように、エアフィルタユニット２を超音波洗浄槽３０の上方まで水平移動した後、矢印８３で示すように、エアフィルタユニット２を超音波洗浄槽３０内に降ろす。そして、エアフィルタユニット２を洗浄液３６に浸した状態で振動素子３４で発生させた超音波をろ材に当て、ろ材に付着した粉塵を剥離させる。
【００３６】
次に、矢印８４で示すように、エアフィルタユニット２を超音波洗浄槽３０から引き上げた後、矢印８５で示すように、すすぎ槽４０の上方まで水平移動する。そして、矢印８６で示すように、エアフィルタユニット２をすすぎ槽４０内に降ろす。すすぎ槽４０内では、エアフィルタユニット２のろ材の主要面などに、両側からすすぎ液４４を噴射し、洗浄液を洗い流す。
【００３７】
次に、矢印８７で示すように、エアフィルタユニット２をすすぎ槽４０の上方に引き上げた後、矢印８８で示すように、水切台５０の上方まで水平移動する。
【００３８】
次に、水切台５０の上方で、エアフィルタユニット把持部７８によるエアフィルタユニット２の把持を解除し、エアフィルタユニット２を矢印８９で示すように落下させ、水切台５０の斜面５２に衝突させて倒し、斜面５２から回収台６０まで落下させる。このとき、エアフィルタユニット２に付着していたすすぎ液は、斜面２に当たったときの衝撃で、飛び散る。これにより、エアフィルタユニット２から、すすぎ液の大半を除去することができる。
【００３９】
水切りされ、回収台６０の上面６２まで滑り落ちたエアフィルタユニット２は、上面６２から洗浄装置１０外に搬出することができる。
【００４０】
以上に説明したように、洗浄装置１０は、エアフィルタユニット２を処理する順に、エアフィルタユニット置台２０、超音波洗浄槽３０、すすぎ槽４０及び水切台５０が水平方向に一列に配置されている。エアフィルタユニット２は、ろ材の主要面が水平面に対して垂直な状態、すなわち立った状態のまま、ろ材の主要面の法線方向に搬送される。これによって、洗浄装置１０は、エアフィルタユニット２の搬送方向の寸法をできるだけ小さくすることができる。
【００４１】
さらに、搬送装置７０は、処理する順に一列に配置した、エアフィルタユニット置台２０、超音波洗浄槽３０、すすぎ槽４０及び水切台５０に沿って配置されるので、エアフィルタユニット２の搬送方向に対して垂直な方向の寸法もできるだけ小さくすることができる。
【００４２】
搬送装置７０は、エアフィルタユニット置台２０、超音波洗浄槽３０、すすぎ槽４０及び水切台５０に沿って１次元的に配置されるので、構成を簡単にすることができる。また、搬送距離が短くなるので、処理効率も向上する。
【００４３】
したがって、洗浄装置１０は、簡単な構成で、小型化・省スペース化と処理効率の向上とを図ることができる。
【００４４】
さらに、洗浄装置１０は、構造が簡単であるので、メンテナンスも容易である。また、洗浄装置１０を簡単に移動することができる。超音波で洗浄すると、ろ材の損傷が少ないので、エアフィルタユニットの使用回数が増える。例えば、従来の洗浄方法では３回使用可能であったエアフィルタは、この洗浄装置１０を用いると２０回以上使用可能となる。
【００４５】
なお、本発明のエアフィルタユニットの洗浄装置は、上記実施例に限定されるものではなく、例えば以下のように、種々変更を加えた態様で実施することができる。
【００４６】
上記実施例では、エアフィルタユニット置台２０は、共通台板１２に配置されていたが、車輪等を設けて移動可能な構成とし、洗浄装置１０に着脱自在に結合するようにしてもよい。これによって、一つのエアフィルタユニット置台のエアフィルタユニットの処理が終了したら、予めエアフィルタユニットを収納しておいた別のエアフィルタユニット置台と交換することにより、切り替え時間を短縮して、処理効率を上げることができる。
【００４７】
上記実施例では、エアフィルタユニット回収台５０の上面５２にエアフィルタユニット２を平らに伏せるようになっているが、エアフィルタユニット置台と同様に、垂直に立てた状態でエアフィルタユニットを回収するようにしてもよい。
【００４８】
また、上記実施例では、エアフィルタユニット回収台５０は共通台板１２に固定されているが、前述の変形例のエアフィルタユニット置台と同様に、車輪等を設けて移動可能な構成とし、洗浄装置本体に着脱自在に結合するようにしてもよい。これにより、エアフィルタユニット回収の切り替え時間を短縮して、処理効率を上げることができる。
【００４９】
上記実施例の洗浄装置１０は、空調設備に用いるエアフィルタユニットのうちプレフィルタの洗浄に特に好適である。処理部の構成や数は、中性能フィルタ、ＨＥＰＡフィルタなど、エアフィルタユニットの用途、種類、性能などに応じて、適宜に選択すればよい。
【００５０】
上記実施例の洗浄装置１０は、エアフィルタユニット２を、ろ材の主要面方向に並べ、主要面の法線方向に搬送することにより、搬送方向の距離の最短化を図っているが、本発明は、これに限るものではない。例えば、エアフィルタユニットを、処理部間において、ろ材の主要面の方向に搬送するようにしてもよい。この場合、洗浄装は、エアフィルタの搬送方向と直角方向の寸法が小さくなり、幅が狭い場所に設置することが可能となる。また、例えば、４つの処理部ａ，ｂ，ｃ，ｄが一列に配置され、エアフィルタユニットがａ→ｂ→ｃ→ａ→ｄの順に搬送されるような場合も、処理部は「エアフィルタに対して処理を行う順に一列に配置された」（請求項１）ということができる。
【図面の簡単な説明】
【００５１】
【図１】エアフィルタユニットの洗浄装置の要部平面図である。（実施例）
【図２】エアフィルタユニットの洗浄装置の正面図である。（実施例）
【図３】エアフィルタユニットの洗浄装置の右側面図である。（実施例）
【図４】搬送装置の把持部の説明図である。（実施例）
【図５】エアフィルタユニットの洗浄装置の要部平面図である。（従来例）
【符号の説明】
【００５２】
２，２ｓ，２ｔ  エアフィルタユニット
２ａ  ろ材
１０  洗浄装置
２０  エアフィルタユニット置台（収納部）
３０  超音波洗浄槽（処理部）
３２  洗浄槽本体
３４  振動素子
３６  洗浄液
４０  すすぎ槽（処理部）
５０  水切台（処理部）
７０  搬送装置（搬送部）
【図１】
2005161260.tif 000003
【図２】
2005161260.tif 000004
【図３】
2005161260.tif 000005
【図４】
2005161260.tif 000006
【図５】
2005161260.tif 000007